(57)【要約】【課題】  ドア本体をドア枠に対して着脱でき、ドア開閉時にドア用ヒンジと受部材の係合を維持してドア本体がドア枠から外れることを防止できるドア用ヒンジの提供。【解決手段】  上部ピポットヒンジ３０は、竪框２４に装着されるケース３１と、ケースに軸方向に移動自在に収納されて受部材に係合可能に設けられたスライダー３２と、スライダー３２をケース突出方向に付勢するコイルバネと、スライダー３２をコイルバネの付勢力に抗してケース収納方向に移動可能な操作部材３４と、操作部材３４でスライダー３２をケース収納方向に移動した際に、スライダー３２を所定位置より先に移動不能に制限する移動制限状態およびスライダー３２を所定位置より先に移動可能にする移動可能状態に切替可能な移動制御手段とを備える。移動制限状態にすれば、受部材に確実に係合される位置にスライダー３２を維持でき、ドア本体がドア枠から外れることを防止できる。【選択図】図３
2006214165.tif 000002
【特許請求の範囲】
【請求項１】
ドア本体の竪框の端部に装着されるケースと、
このケースに対して軸方向に移動自在に収納されてドア枠に固定された受部材に対して係合可能に設けられたスライダーと、
前記ケース内に収納されて前記スライダーをケースから突出させる方向に付勢する付勢手段と、
前記竪框表面側に露出されて前記スライダーを前記付勢手段の付勢力に抗して前記ケース内に収納させる方向に移動可能な操作部材と、
前記操作部材によってスライダーを前記ケース収納方向に移動した際に、スライダーを所定位置より先に移動不能に制限する移動制限状態、および、スライダーを所定位置より先に移動可能にする移動可能状態に切替可能な移動制御手段と、を備えることを特徴とするドア用ヒンジ。
【請求項２】
前記操作部材は、
スライダーに対して軸方向移動不能にかつ回動可能に取り付けられてスライダーと共に軸方向に移動される操作軸部と、
ケース内部において操作軸部から突出された移動規制部と、
竪框外部に露出されて前記操作軸部を回転可能な操作摘みとを備えて構成され、
前記移動制御手段は、前記移動規制部および操作摘みを備えて構成され、かつ、操作摘みが操作されることで、
前記移動規制部をケース収納方向に向け、スライダーをケース収納方向に移動させた際に、移動規制部をケース底面に当接させてスライダーを所定位置より先に移動不能に制限する移動制限状態と、
前記移動規制部をケース収納方向と直交する方向に向け、スライダーをケース収納方向に移動させた際に、移動規制部がケース底面に当接することを防止してスライダーを所定位置より先に移動可能にする移動可能状態と、
に切替可能に構成されている請求項１に記載のドア用ヒンジ。
【請求項３】
前記操作摘みは表面に段部を有し、前記移動規制部は前記段部が縦方向に向いている時にケース収納方向に向き、かつ前記段部が横方向に向いている時にケース収納方向と直交する方向に向けられる請求項２に記載のドア用ヒンジ。
【請求項４】
前記操作部材は、
スライダーに対して軸方向移動不能に取り付けられた操作軸部と、
竪框外部に露出されて前記操作軸部に一体的に設けられた操作摘みとを備え、
前記移動制御手段は、スライダーと共に移動されるとともに、竪框外部に露出された操作部の操作によってケース内部に出没可能に構成された移動規制部を備えて構成され、かつ、操作部が操作されることで、
前記移動規制部をケース内部に突出させ、スライダーをケース収納方向に移動させた際に、移動規制部をケース底面に当接させてスライダーを所定位置より先に移動不能に制限する移動制限状態と、
前記移動規制部をケース外部側に配置し、スライダーをケース収納方向に移動させた際に、移動規制部がケース底面に当接することを防止してスライダーを所定位置より先に移動可能にする移動可能状態と、
に切替可能に構成されている請求項１に記載のドア用ヒンジ。
【請求項５】
前記操作部材は、
スライダーに対して軸方向移動不能に取り付けられた操作軸部と、
竪框外部に露出されて前記操作軸部に一体的に設けられた操作摘みとを備え、
前記移動制御手段は、竪框外部からケース内部に差し込まれた状態またはケース外部に取り出された状態に操作可能に構成された移動規制部材を備えて構成され、かつ、
前記移動規制部材をケース内部に差し込むことで、スライダーをケース収納方向に移動させた際に、スライダーを移動規制部材に当接させてスライダーを所定位置より先に移動不能に制限する移動制限状態と、
前記移動規制部材をケース外部に取り出すことで、スライダーをケース収納方向に移動させた際に、スライダーが移動規制部材に当接することを防止してスライダーを所定位置より先に移動可能にする移動可能状態と、
に切替可能に構成されている請求項１に記載のドア用ヒンジ。
【請求項６】
前記ケースのドア枠側の端面は、ドア本体の上枠または下枠の表面に連続する高面部と、この高面部よりもドア枠から離れて形成され、前記スライダーが収納される開口が形成された低面部とを備える請求項１から請求項５のいずれかに記載のドア用ヒンジ。
【請求項７】
ドア本体と、ドア枠と、このドア本体のヒンジ側の竪框の上端に装着された請求項１から請求項６のいずれかに記載のドア用ヒンジと、ドア枠に固定されて前記ドア用ヒンジが係合される受部材とを備える浴室ドア。
【請求項８】
前記ドア本体が開かれた際に、ドア本体を上方に移動するドア移動機構を備える請求項７に記載の浴室ドア。
【発明の詳細な説明】
【技術分野】
【０００１】
本発明は、浴室や各居室の出入り口等に設けられるドア本体（扉）を開閉可能にドア枠に支持するドア用ヒンジおよびこのドア用ヒンジを用いた浴室ドアに関する。
【背景技術】
【０００２】
浴室内での不測の事故が発生した際に、脱衣室側からドア本体を取り外すことができるように構成した浴室ドアが知られている（例えば、特許文献１参照）。
特許文献１では、ドア本体の竪框上端に取り付けられたハウジングと、このハウジングから軸方向に移動自在に収容する軸部材と、ハウジング内に収納され、軸部材をドア枠方向に付勢する圧縮ばねとを備え、軸部材を圧縮ばねに抗して軸方向に移動操作可能な操作片を設けたピポットヒンジを用いている。そして、通常の使用時には、圧縮ばねで付勢された軸部材をドア枠に固定された受部材の凹部に係合してピポットヒンジとして用い、事故発生時には操作片により軸部材をハウジング内部側に移動して前記凹部から外すことで、ドア本体をドア枠から取り外すことができるようにしていた。
【０００３】
ところで、近年、建物内部においてもバリアフリー化が進み、浴室ドア出入口も段差を無くすようにしている。このため、脱衣室側の床面から浴室ドアの下枠上面、浴室の床面がほぼ同一高さレベルとされている。このような浴室ドアでは、ドア本体の下面に防水用のシール材を配置して防水性能を向上しているが、バリアフリー化で下枠上面および脱衣室や浴室の床面が同一高さレベルの場合、ドアの開閉時に前記シール材が浴室の床面等をこすってしまい、ドアを閉めた際にシール材に付着した水滴が脱衣室側の床面上に飛び散るなどの問題があった。
【０００４】
このため、近年、浴室ドアを開くとともに、ドア本体を徐々に上昇させてシール材が床面に触れないようにする機能を有する浴室ドアが開発されている。具体的には、ドア本体の竪框下端部に設けられるピポットヒンジにおいて、ドア枠側に取り付けられるピポットヒンジ受部材にテーパ面（傾斜面）を形成し、ドア本体を開いた際にドア本体が前記テーパ面によって上方に移動し、ドア本体を閉めるとドア本体が下方に移動して元の位置に戻るようにしていた。
この際、ドア本体の竪框上端に設けられたピポットヒンジと、ドア枠の受部材とのクリアランスも変化するが、その変化分は前記圧縮バネによって軸部材が上下することで吸収していた。すなわち、ドア本体を開閉する毎に、前記軸部材をハウジングに対して上下動させて前記クリアランスの変化を吸収していた。
【０００５】
【特許文献１】特許第２８７６１８４号公報
【発明の開示】
【発明が解決しようとする課題】
【０００６】
しかしながら、従来のピポットヒンジでは、例えば、軸部材とハウジング間に埃やゴミ、錆などが入り、軸部材がハウジングに固着して軸方向に移動できなくなるおそれがあった。
この際、ドア本体を開いてドア本体が上方に移動し、前記軸部材がハウジングに対して下方に移動して収納された状態で軸部材がハウジングに固着されてしまうと、ドア本体を閉じてドア本体が下方に移動した際に、軸部材が元に戻らず、軸部材と受け部材との係合が解除され、ドア本体がドア枠から外れてしまうという問題が生じるおそれがあった。
【０００７】
このような問題は、浴室ドアに限らず、食事室、応接室、寝室等の各部屋の出入り口等に設けられるドア等において、その開閉に伴いドア本体を上下動し、ピポットヒンジの軸部材をハウジングに対して上下動させる場合などにも同様に生じるおそれがあった。
【０００８】
本発明の目的は、利用者がドア用ヒンジを動かしてドア本体をドア枠に対して着脱することができるとともに、ドアの開閉動作時にドア用ヒンジと受部材との係合が解除されることを防止してドア本体がドア枠から外れてしまうことを確実に防止できるドア用ヒンジおよびこのドア用ヒンジを用いた浴室ドアを提供することにある。
【課題を解決するための手段】
【０００９】
本発明のドア用ヒンジは、ドア本体の竪框の端部に装着されるケースと、このケースに対して軸方向に移動自在に収納されてドア枠に固定された受部材に対して係合可能に設けられたスライダーと、前記ケース内に収納されて前記スライダーをケースから突出させる方向に付勢する付勢手段と、前記竪框表面側に露出されて前記スライダーを前記付勢手段の付勢力に抗して前記ケース内に収納させる方向に移動可能な操作部材と、前記操作部材によってスライダーを前記ケース収納方向に移動した際に、スライダーを所定位置より先に移動不能に制限する移動制限状態、および、スライダーを所定位置より先に移動可能にする移動可能状態に切替可能な移動制御手段と、を備えることを特徴とする。
【００１０】
ここで、前記所定位置とは、ドア本体の上下動に関係なく、スライダーと受部材との係合状態を維持することができる位置であればよい。従って、スライダーを所定位置より先に移動すればスライダーと受部材との係合状態を解除することができる。
このような本発明によれば、移動制御手段によってスライダーを所定位置より先に移動可能あるいは移動不要に切り替えることができるので、通常の使用時には移動制限状態にしておくことで、受部材に確実に係合される位置にスライダーを維持でき、ドア本体がドア枠から外れることを確実に防止できる。
また、緊急時には、移動制御手段によって移動可能状態にすれば、操作部材でスライダーをケース収納方向に移動して受部材との係合状態を解除できるので、ドア本体をドア枠から容易に取り外すことができる。
【００１１】
ここで、前記操作部材は、スライダーに対して軸方向移動不能にかつ回動可能に取り付けられてスライダーと共に軸方向に移動される操作軸部と、ケース内部において操作軸部から突出された移動規制部と、竪框外部に露出されて前記操作軸部を回転可能な操作摘みとを備えて構成され、前記移動制御手段は、前記移動規制部および操作摘みを備えて構成され、かつ、操作摘みが操作されることで、前記移動規制部をケース収納方向に向け、スライダーをケース収納方向に移動させた際に、移動規制部をケース底面に当接させてスライダーを所定位置より先に移動不能に制限する移動制限状態と、前記移動規制部をケース収納方向と直交する方向に向け、スライダーをケース収納方向に移動させた際に、移動規制部がケース底面に当接することを防止してスライダーを所定位置より先に移動可能にする移動可能状態と、に切替可能に構成されていることが好ましい。
【００１２】
このような構成によれば、操作軸部に移動規制部を突設し、かつ、操作軸部を回転操作可能な操作摘みを設けるだけで移動制御手段を構成できるので、移動制御手段の構成を簡易にできてコストを低減できる。
また、操作摘みを回転させて移動規制部を所定の向きにするだけで、移動制限状態と移動可能状態とを切り替えることができるので、利用者は切替操作を容易に実行できる。
【００１３】
この際、前記操作摘みは表面に段部を有し、前記移動規制部は前記段部が縦方向に向いている時にケース収納方向に向き、かつ前記段部が横方向に向いている時にケース収納方向と直交する方向に向けられることが好ましい。
【００１４】
このように構成すれば、利用者は段部の向きによって移動制限状態か移動可能状態かを容易に判断できる。また、段部が縦方向に向いている場合には操作摘みをケース収納方向に動かしてスライダーをその方向に移動させる操作はしにくいが、段部が横方向に向いている場合にはその段部に指をかけて操作摘みをケース収納方向に動かすことができるため、操作性を向上できる。すなわち、利用者がスライダーをケース収納方向に移動可能な状態の場合に、その移動操作がし易いように段部の向きを設定しているので、利用者は直感的に移動可能状態であるか否かを判断でき、かつその移動操作性も良好にできる。
【００１５】
また、本発明において、前記操作部材は、スライダーに対して軸方向移動不能に取り付けられた操作軸部と、竪框外部に露出されて前記操作軸部に一体的に設けられた操作摘みとを備え、前記移動制御手段は、スライダーと共に移動されるとともに、竪框外部に露出された操作部の操作によってケース内部に出没可能に構成された移動規制部を備えて構成され、かつ、操作部が操作されることで、前記移動規制部をケース内部に突出させ、スライダーをケース収納方向に移動させた際に、移動規制部をケース底面に当接させてスライダーを所定位置より先に移動不能に制限する移動制限状態と、前記移動規制部をケース外部側に配置し、スライダーをケース収納方向に移動させた際に、移動規制部がケース底面に当接することを防止してスライダーを所定位置より先に移動可能にする移動可能状態と、に切替可能に構成されているものでもよい。
【００１６】
このような構成によれば、操作部を操作することでケース内部に出没可能に構成された移動規制部を設けるだけで移動制御手段を構成できるので、移動制御手段の構成を比較的簡易にできてコストを低減できる。
また、操作摘みと独立した操作部を操作して移動規制部をケース内部に突出させたり、ケース外部に配置するだけで、移動制限状態と移動可能状態とを切り替えることができるので、利用者は切替操作を容易に実行できる。
【００１７】
また、本発明において、前記操作部材は、スライダーに対して軸方向移動不能に取り付けられた操作軸部と、竪框外部に露出されて前記操作軸部に一体的に設けられた操作摘みとを備え、前記移動制御手段は、竪框外部からケース内部に差し込まれた状態またはケース外部に取り出された状態に操作可能に構成された移動規制部材を備えて構成され、かつ、前記移動規制部材をケース内部に差し込むことで、スライダーをケース収納方向に移動させた際に、スライダーを移動規制部材に当接させてスライダーを所定位置より先に移動不能に制限する移動制限状態と、前記移動規制部材をケース外部に取り出すことで、スライダーをケース収納方向に移動させた際に、スライダーが移動規制部材に当接することを防止してスライダーを所定位置より先に移動可能にする移動可能状態と、に切替可能に構成されているものでもよい。
【００１８】
ここで、移動規制部材としては、竪框に対して着脱可能に設けられたピン状あるいは板状の部材で構成してもよいし、竪框に固定されて操作によって先端がケース内部に突出したり、ケース外部に引きこまれるプッシュボタンのような部材で構成されるものでもよい。要するに、作業者の操作によってケース内部に差し込まれてスライダーに当接可能な状態、または、ケース外部に取り出されてスライダーに当接不可能な状態に切替操作可能なものであればよい。
このような構成においても、例えば、竪框からケース内部に差し込まれたり、ケース外部に取り出される移動規制部材を設けるだけで移動制御手段を構成できるので、移動制御手段の構成を比較的簡易にできてコストを低減できる。特に、竪框およびケースに移動規制部材を差し込む貫通孔を形成し、この貫通孔にピン状、板状の移動規制部材を差し込んだり、取り出したりして移動制限状態および移動可能状態を切り替えるようにした場合には、構成を非常に簡易にできてコストを低減でき、かつ、利用者は切替操作を容易に実行できる。
【００１９】
この際、前記ケースのドア枠側の端面は、ドア本体の上枠または下枠の表面に連続する高面部と、この高面部よりもドア枠から離れて形成され、前記スライダーが収納される開口が形成された低面部とを備えることが好ましい。
【００２０】
このように構成すれば、低面部とドア枠とのクリアランスを、ケース端面を高面部のみで構成した場合に比べて大きく形成できる。このため、受部材側にピポット軸部を設ける際に、その長さ寸法を前記クリアランスが大きくなった分だけ長くでき、その分、スライダーに設けられる係合孔と、前記ピポット軸部との掛かり代を大きくでき、ドア本体をより外れにくくできる。また、ケースにおいて１段低く形成したのはスライダーが配置される低面部だけであり、高面部やそれに続く上枠、下枠の表面の高さは従来と同じものにできるので、上枠および上框間のシール材のタイトラインなどは従来と同じものにでき、設計変更が不要になってコストを低減できる。
【００２１】
本発明の浴室ドアは、ドア本体と、ドア枠と、このドア本体のヒンジ側の竪框の上端に装着された前記ドア用ヒンジと、ドア枠に固定されて前記ドア用ヒンジが係合される受部材とを備えることを特徴とする。
【００２２】
浴室ドアに前記ドア用ヒンジを用いれば、浴室内で事故が発生した場合等にはドア本体を容易に取り外すことができ、かつ、通常に使用している場合にはドア本体がドア枠から外れることを確実に防止できる。
【００２３】
この際、前記浴室ドアは、前記ドア本体が開かれた際にドア本体を上方に移動するドア移動機構を備えることが好ましい。
【００２４】
ドア移動機構を備える浴室ドアにおいては、ドア本体を開閉するたびにスライダーがケースに対して軸方向に移動するため、ケース内部にスライダーが固着してしまう可能性が高まる。このため、スライダーの移動を制限できる移動制御手段を備えるドア用ヒンジを適用すれば、ドア本体が上下動してもスライダーを所定の位置に維持でき、スライダーと受部材との係合状態を確実に維持できる。
【発明を実施するための最良の形態】
【００２５】
以下、本発明の一実施形態を図面に基づいて説明する。
図１は、本実施形態に係る片開きの浴室ドア１を脱衣室側から見た正面図、図２は、図１のＡ−Ａ線に沿った浴室ドア１の縦断面図である。
【００２６】
浴室ドア１は、浴室への入口部分に取り付けられる建具枠としてのドア枠１０と、ドア枠１０内に回動自在に収容された建具本体としてのドア本体２０とを備えている。
ドア枠１０は、それぞれアルミの押出形材製の枠材である上枠１１、下枠１２、および左右の縦枠１３を四周枠組みした構成である。
上枠１１および縦枠１３には、ドア枠１０の内周面に突出した突片１１Ａ（縦枠１３の突片は図示略）が一体に形成され、この突片１１Ａにはドア本体２０の脱衣室側の面に当接可能なシール材（図示略）が取り付けられている。
【００２７】
ドア本体２０は、それぞれアルミの押出形材製の框材である上框２１、下框２２、および左右の竪框２３，２４を四周枠組みして構成された框枠２５と、この框枠２５に保持されたガラスや樹脂製の面材２６とを備えて構成されている。
面材２６の浴室側および脱衣室側の両面には、樹脂製のレバーハンドル２７が取り付けられている。
【００２８】
ドア本体２０は、竪框２４の上下両端部でドア枠１０に対して回動自在に軸支されている。
具体的には、竪框２４の上端部には、本発明のドア用ヒンジである上部ピポットヒンジ３０が取り付けられている。この上部ピポットヒンジ３０は、上枠１１に取り付けられた上部受部材４０に対して回動自在に係合されている。
また、竪框２４の下端部には、下部ピポットヒンジ５０が取り付けられ、下枠１２に取り付けられた下部受部材６０に対して回動自在に係合されている。
また、上枠１１および上框２１間にはアームストッパ３が掛け渡され、ドア本体２０の開き角度を設定可能とされている。
【００２９】
下部受部材６０は、図２に示すように、上方に突設された軸部６１と、ドア本体２０の開閉に伴って下部ピポットヒンジ５０を上下方向に案内するテーパ面（傾斜面）６２とを備えている。
一方、下部ピポットヒンジ５０の下面には、前記軸部６１が挿入される軸受孔（図示略）が開口されている。そして、前記軸部６１を下部ピポットヒンジ５０の軸受孔に挿入して係合することで、下部ピポットヒンジ５０は、下部受部材６０に対して回動可能にかつ回動に伴い上下動可能に設けられている。従って、下部ピポットヒンジ５０および下部受部材６０によってドア移動機構が構成されている。
【００３０】
上部受部材４０は、上枠１１の端部下面にビスなどで固定されており、ドア本体２０の回転軸となるピポット軸部４１を備えている。
【００３１】
上部ピポットヒンジ３０は、図３，４に示すように、竪框２４の上端部に取り付けられるケース３１と、このケース３１内に挿入配置されてスライダー３２と、ケース３１内に配置されて前記スライダー３２を上方に付勢する付勢手段としてのコイルバネ３３と、前記スライダー３２をコイルバネ３３の付勢力に抗して下方に移動可能な操作部材３４とを備えている。
【００３２】
ケース３１は、略中空筒状に形成されて竪框２４の上端内部に挿入固定されている。また、ケース３１の上面は、図３に示すように、上枠１１上面と同じ高さレベルとされた高面部３１１と、この高面部３１１に段部を介して連続し、かつ高面部３１１よりも所定寸法、例えば２ｍｍ程度低く形成された低面部３１２とを備えている。
低面部３１２には開口３１３が形成され、この開口３１３を介してケース３１内部に前記スライダー３２が上下方向（軸方向）に移動自在に挿入（収納）されている。
【００３３】
スライダー３２には、下方に向かって延長された係止軸部３２１と、ガイド部３２５とが形成されている。
係止軸部３２１は、コイルバネ３３で付勢されたスライダー３２が、ケース３１から外れないように係止するために設けられている。具体的には、係止軸部３２１は下方に向かって延長され、その先端（下端）は二股に分かれている。図５（Ｂ）にも示すように、ケース３１の下面に突出された係止軸部３２１の先端には、係止部３２２が左右方向に突設されており、この係止部３２２がケース３１下面に係合することで、スライダー３２がケース３１から抜け出ることがないように係止している。
ガイド部３２５は、図５（Ｂ）に示すように、左右一対形成されている。各ガイド部３２５には、略円形のガイド穴３２６が形成されている。
【００３４】
操作部材３４は、操作摘み３４１と、操作軸部３４５と、突起３４６とを備えて構成されている。
操作摘み３４１は、図３にも示すように、略円盤状に形成されている。また、操作摘み３４１の半分（半円部分）は厚さ寸法が他の半円部分に比べて約２倍とされ、操作摘み３４１の表面に段部３４２が形成されている。
また、操作摘み３４１の裏面には、長板状のカバー３４３が一体に形成されている。このカバー３４３は、前記段部３４２の形成方向に沿って延長されており、図３や図８に示すように段部３４２が水平方向に向いて配置されている場合には、カバー３４３の長手方向も水平方向に沿うようにされ、図７に示すように、段部３４２が垂直方向に向いて配置されている場合には、カバー３４３の長手方向も垂直方向に沿うように設定されている。
なお、図７，８は上部ピポットヒンジ３０の操作部材３４および竪框２４を示す概略図である。
【００３５】
操作軸部３４５は、丸軸状に形成されて、前記ガイド部３２５のガイド穴３２６に挿通可能かつガイド穴３２６内で回動自在に構成されている。
操作軸部３４５において、操作摘み３４１に近接する部分（根元部分）には、操作軸部３４５の軸方向に直交する方向に突出された移動規制部としての突起３４６が一体に形成されている。この突起３４６は、ケース３１内に配置され、前記カバー３４３の長手方向に沿って所定の長さ寸法に設定されている。
すなわち、前記操作摘み３４１を段部３４２が垂直方向となる向きに回した際には、突起３４６は下方（ケース収納方向）に向き、段部３４２を水平方向となる向きに回した際には、突起３４６も水平方向（ケース収納方向に直交する方向）に向くように設定されている。
なお、本実施形態では、前記突起３４６を上方（ケース突出方向）に向けようとしても、突起３４６がスライダー３２に当接して上方に向けることができないようにされている。このため、利用者は、操作ミスすることなく、確実に突起３４６を下向きに設定できる。なお、例えば、カバー３４３に突起３４６の向きを示す記号や文字などを表記し、利用者が確認できるようにしてもよい。
【００３６】
竪框２４の上端部において浴室側の竪框表面（側面）および脱衣室側の竪框表面（側面）には、図３にも示すように、竪框２４に挿入された上部ピポットヒンジ３０のガイド穴３２６に対応して上下方向に長く形成されたスライドガイド溝２４１が形成されている。
操作部材３４は、操作摘み３４１が脱衣室側の表面に露出する状態で、操作軸部３４５を、スライドガイド溝２４１を介して各ガイド穴３２６に挿入することで取り付けられている。
【００３７】
また、操作軸部３４５の先端には、浴室側の表面のスライドガイド溝２４１から挿入された操作固定部材３５が取り付けられている。
操作固定部材３５は、操作軸部３４５の先端に嵌合固定される固定部３５１と、スライドガイド溝２４１をカバーする長板状のカバー３５３とを備えている。なお、カバー３５３は、操作部材３４のカバー３４３と揃った向きに取り付けられている。
【００３８】
ここで、ケース３１およびスライダー３２は、樹脂製とされ、スライダー３２の上面には補強用の金属プレート３２３がビス等で固定されている。また、上部受部材４０は金属製とされている。
そして、前記金属プレート３２３およびスライダー３２の上面には係合孔３２９が形成され、前記ピポット軸部４１は係合孔３２９に回動自在に挿入されている。
【００３９】
〔浴室ドアの施工手順〕
次に、このように構成された本実施形態の浴室ドア１の施工手順に関して説明する。
ドア枠１０を施工後、ドア本体２０を取り付けるには、図６に示すように、操作部材３４の操作摘み３４１を段部３４２が水平方向となるように向け、操作部材３４を下方に移動し、スライダー３２の上面が竪框２４上端面の低面部３１２と同一レベル以下となるように移動させる。
【００４０】
そして、上部受部材４０および下部受部材６０間にドア本体２０の竪框２４を配置し、下部ピポットヒンジ５０を下部受部材６０に係合し、操作部材３４をコイルバネ３３によって上方に移動させて上部ピポットヒンジ３０を上部受部材４０に係合する。
【００４１】
〔浴室ドアの開閉時の動作〕
浴室ドア１の通常使用時には、図５に示すように、操作部材３４の操作摘み３４１を段部３４２が垂直方向となるように向け、突起３４６を下方に向けた状態にしておく。このような状態にすると、カバー３４３，３５３によって、スライドガイド溝２４１は被覆される。
また、スライダー３２は、コイルバネ３３によって上方に付勢されているので、操作部材３４が操作されていない場合には、図４に示すように、スライダー３２の上面（金属プレート３２３）はピポット軸部４１のフランジ４２に当接している。
【００４２】
浴室ドア１を開くと、下部受部材６０に形成されたテーパ面によって下部ピポットヒンジ５０つまりは竪框２４（ドア本体２０）が上方に移動する。この際、竪框２４の上方への移動寸法分、上部受部材４０と竪框２４の低面部３１２間の高さ寸法が小さくなるが、フランジ４２に当接している前記スライダー３２がコイルバネ３３を圧縮してケース３１内部側に移動するため、前記寸法変動分は吸収される。
【００４３】
また、浴室ドア１を閉めると、竪框２４（ドア本体２０）が下方に戻り、上部受部材４０と竪框２４の低面部３１２間の高さ寸法も元の大きさに戻る。そして、前記スライダー３２は、通常は、コイルバネ３３によって上方に移動し、その上面がフランジ４２に当接する位置まで戻る。
【００４４】
一方、ケース３１およびスライダー３２間に塵や埃などが侵入し、摩擦力が大きくなったためなどで、浴室ドア１を閉めても、図５に示すように、スライダー３２が元の位置に戻らない可能性がある。この場合でも、スライダー３２は、突起３４６がケース３１の底面に当接する位置以下には移動できない。従って、突起３４６がケース３１の底面に当接した際に、ピポット軸部４１が前記スライダー３２の係合孔３２９に係合した状態を維持できる高さ（所定位置）となるように、前記突起３４６の長さ寸法を設定することで、ピポット軸部４１が係合孔３２９から外れることを確実に防止できる。
【００４５】
〔事故時の浴室ドアの取外作業〕
また、万一、浴室内で事故が発生したために、ドア本体２０を取り外す必要がある場合には、作業者は操作摘み３４１を操作し、図６に示すように、段部３４２を水平方向に向け、その後、操作摘み３４１を下方に移動してスライダー３２を所定位置より先に移動し、ピポット軸部４１を係合孔３２９から外す。
さらに、アームストッパ３を外し、ドア本体２０をドア枠１０から取り外す。
なお、浴室ドア内の人を救出後は、取外作業と逆の手順（ドア施工時と同様の手順）でドア本体２０を取り付ければよい。
【００４６】
従って、本実施形態では、操作摘み３４１と、この操作摘み３４１で回転される操作軸部３４５と、操作軸部３４５に突設された突起３４６とでスライダー３２を移動制限状態と、移動可能状態とに切り替える移動制御手段が構成されている。
【００４７】
このような本実施形態によれば、以下のような効果がある。
(1) 操作部材３４に突起３４６を設けたので、操作摘み３４１を所定の向きに変更して突起３４６を下方に向けておけば、ケース３１つまりは竪框２４上端に対してスライダー３２が所定位置より下方に移動することを制限できる。従って、仮にケース３１およびスライダー３２間に塵や埃などが入ってスライダー３２がケース３１に対して下降した位置で動かなくなっても、ピポット軸部４１と係合孔３２９との係合状態を維持でき、利用者が意図することなく、ドア本体２０がドア枠１０から外れてしまうことを確実に防止できる。
【００４８】
(2) 浴室内で事故が発生した場合には、操作摘み３４１を所定の向きに変更して突起３４６を横方向に向ければ、操作摘み３４１を下方に移動してスライダー３２をケース３１内に収納することができ、簡単な操作でドア本体２０をドア枠１０から取り外すことができる。
【００４９】
(3) 操作摘み３４１に段部３４２を形成し、この段部３４２が垂直方向（縦方向）に向いていて利用者が下方に移動操作しにくい状態の場合には、突起３４６が下方に向いてスライダー３２の下方への移動が規制されるようにし、段部３４２が水平方向（横方向）に向いていて利用者が下方に移動操作しやすい状態の場合には、突起３４６が横方向に向いてスライダー３２の下方への移動が可能になるように構成している。
このため、利用者は操作摘み３４１の向きによって、スライダー３２を下降させてドア本体２０を取り外すことができるのか否かを直感的に把握でき、操作性を向上できる。
また、操作摘み３４１の段部３４２が垂直方向に向いていれば、操作摘み３４１を下方に移動させにくくなるため、利用者が誤操作でドア本体２０を取り外してしまうことも防止できる。
【００５０】
(4) 上部ピポットヒンジ３０のケース３１は、上枠１１の上面と同じ高さレベルの高面部３１１と、高面部３１１よりも所定寸法（例えば２ｍｍ）低く形成された低面部３１２とを備え、スライダー３２が配置される開口３１３を低面部３１２に形成したので、ケース３１の上面を上枠１１上面と一致させていた従来に比べて、ピポット軸部４１とケース３１の上面（低面部３１２）とのクリアランスを大きく形成できる。このため、ピポット軸部４１の長さ寸法を前記クリアランスが大きくなった分だけ長くでき、その分、ピポット軸部４１の係合孔３２９への掛かり代を大きくでき、ドア本体２０をより外れにくくできる。また、ケース３１において１段低く形成したのはスライダー３２が配置される低面部３１２部分だけであり、高面部３１１やそれに続く上枠１１上面の高さは従来と同じものにできるので、上枠１１および上框２１間のシール材のタイトラインなどは従来と同じものにできる。
【００５１】
(5) 操作部材３４や操作固定部材３５に設けたカバー３４３，３５３は、操作摘み３４１の段部３４２が縦方向とされた通常の使用状態時に、竪框２４に形成されたスライドガイド溝２４１を被覆する向きに取り付けられているので、通常使用時にはスライドガイド溝２４１の露出を防止でき、意匠性の低下を防止できる。
また、段部３４２が横方向に向いてドア本体２０を取り外し可能な状態では、カバー３４３，３５３も横方向に向いてスライドガイド溝２４１が露出するため、利用者に対して異常状態つまりドア本体２０を取り外すことができる緊急状態であることを啓蒙できる。
【００５２】
(6) 下部受部材６０に傾斜面を形成して下部ピポットヒンジ５０が傾斜面に案内されることで、ドア本体２０を開閉に伴い自動的に上下動するように構成したので、バリアフリー対応で浴室や脱衣室の床面と、ドア枠１０の下枠上面との段差が無いあるいは小さい場合に、ドア本体２０の下面のシール材が浴室の床面などに接触して水滴などが付着することを防止できる。
【００５３】
〔第２実施形態〕
次に、本発明の第２実施形態について説明する。なお、本実施形態において、前記第１
実施形態と同一または同様の構成には同一符号を付し、説明を省略あるいは簡略する。
本実施形態では、図９〜１２に示すように、操作摘み３４１および突起３４６の構成を変更したものであり、他の部分は前記第１実施形態と共通する。
【００５４】
第２実施形態の操作摘み３４１Ａは、略ボックス状で、かつ、操作軸部３４５と一体で移動するように形成されている。操作摘み３４１Ａ内には、操作部である移動規制レバー３４７が操作摘み３４１Ａに対して回動自在に取り付けられている。
移動規制レバー３４７は、操作軸部３４５を挟んで配置された移動規制部としての一対のリブ部３４７Ａを備えており、図１０，１１に示すように、移動規制レバー３４７を上側に移動すると、リブ部３４７Ａがケース３１の内部側に突出し、図１２に示すように、移動規制レバー３４７を下側に移動すると、リブ部３４７Ａがケース３１の外部側に配置されるように構成されている。
なお、移動規制レバー３４７は、回転軸にコイルバネを設けることなどで、通常時は上側に移動してリブ部３４７Ａがケース３１内部側に突出し、利用者が移動規制レバー３４７を下げた場合のみリブ部３４７Ａがケース３１外部側に配置されるように構成されている。
【００５５】
このような第２実施形態においては、通常の使用時には、図１０、１１に示すように、移動規制レバー３４７を上側に移動しておき、リブ部３４７Ａをケース３１内部に突出させておく。このようにしておけば、ケース３１に対してスライダー３２が下方（ケース収納方向）に移動すると、前記リブ部３４７Ａがケース３１の底面に当接し、それ以上はスライダー３２が下側に移動することができなくなる。このため、前記第１実施形態において移動規制部である突起３４６を下側に向けた場合と同様に、スライダー３２を所定位置より下に移動することが規制され、ピポット軸部４１が係合孔３２９から外れることを確実に防止できる。
【００５６】
一方、ドア本体２０の施工時や、緊急時にドア本体２０を取り外す場合には、図１２に示すように、移動規制レバー３４７を下側に移動し、リブ部３４７Ａをケース３１の外部側に配置すればよい。この状態で操作摘み３４１Ａを操作してスライダー３２を下方に移動すると、リブ部３４７Ａがケース３１の底面に当接することがないため、スライダー３２のガイド部３２５がケース３１の底面に当接するまで、つまりスライダー３２を所定位置より下に移動することができ、ケース３１内に没させてピポット軸部４１と係合孔３２９との係合状態を解除できる。
【００５７】
従って、本実施形態では、移動規制部であるリブ部３４７Ａを有する操作部としての移動規制レバー３４７により移動制限手段が構成されている。
【００５８】
このような本実施形態においても、前記第１実施形態と同じ作用効果を奏することができる。
また、移動規制レバー３４７を上側にした場合には、スライダー３２の下方への移動が制限される移動制限状態にでき、移動規制レバー３４７を下側にした場合には、スライダー３２の下方への移動が可能となって最後まで下げることができる移動可能状態にできるので、利用者がどちらの状態になるかを把握し易く、操作性を向上できる。
なお、操作摘み３４１Ａの表面に文字や記号で通常使用状態（移動制限状態）なのか緊急時にドア本体２０を取り外し可能な状態（移動可能状態）なのかを表示すれば、利用者が上部ピポットヒンジ３０の状態をより一層把握しやすくできる。
【００５９】
さらに、移動規制レバー３４７は図示しないバネが設けられ、通常状態では移動規制レバー３４７が上側に位置するように構成し、利用者がバネ力に抗して移動規制レバー３４７を下側に移動しなければドア本体２０を取り外すことができないように構成しているので、操作ミス等でドア本体２０が取り外されることを未然に防止できる。
【００６０】
なお、本発明は前記各実施形態の構成に限定されるものではない。
例えば、前記実施形態では、ケース３１の上面に低面部３１２を形成していたが、従来と同様にケース３１の上面を同じ高さレベルに形成してもよい。すなわち、本発明は、突起３４６や移動規制レバー３４７等の移動制限手段を備えることで、利用者の操作によってケース３１に対するスライダー３２の下方への移動を制限したり、その制限を解除できるように構成されていればよい。
【００６１】
スライダー３２の移動を制御する移動制御手段の構成は、前記各実施形態のものに限らず、利用者の操作によって移動を制限したり、制限を解除できる構成であればよい。例えば、移動規制レバー３４７の代わりに、操作摘み３４１Ａにプッシュボタンを設け、ボタンを押すと前記リブ部３４７Ａと同様に突起がケース３１内部に突出してスライダー３２の移動を制限でき、ボタンを再度押すと突起がケース３１の外部側に引きこまれてスライダー３２の移動規制が解除されるように構成してもよい。
【００６２】
さらに、前記各実施形態の移動制御手段は、操作部材３４のようなスライダー３２とともに移動する部材に設けた突起３４６やリブ部３４７Ａを、ケース３１の底面に当接させることでスライダー３２の移動を制限していたが、例えば、竪框２４表面側からケース３１内部に差し込まれるピンのようにスライダー３２とともに移動しない移動規制部材を設けてもよい。すなわち、竪框２４およびケース３１を貫通する貫通孔を形成し、この貫通孔に差し込んだり、貫通孔から取り外すことができるピン状や板状の移動規制部材により移動制御手段を構成してもよい。この場合には、竪框２４からケース３１内部に移動規制部材を差し込むことで、スライダー３２を下方に移動した際にスライダー３２がピン等の移動規制部材に当接してスライダー３２を所定位置より先に移動不能に制限する移動制限状態とし、移動規制部材をケース３１外部に取り出すことで、スライダー３２をケース収納方向に移動させた際に、スライダー３２が移動規制部材に当接することを防止してスライダー３２を所定位置より先に移動可能にする移動可能状態とすればよい。
【００６３】
前記各実施形態では、スライダー３２側に係合孔３２９を形成し、上部受部材４０側にピポット軸部４１を設けていたが、逆にスライダー３２にピポット軸部を形成し、上部受部材４０側にピポット軸部が係合される係合孔を形成してもよい。
【００６４】
前記第１実施形態においては、操作摘み３４１に段部３４２を設けていたが、段部を設けなくてもよい。段部を設けない場合には、操作摘み３４１の表面に、ドア本体２０を取り外す場合の向きや、通常使用時の向きを示す文字や記号を設けて、利用者が上部ピポットヒンジ３０の状態を判断できるようにしておけばよい。但し、段部３４２を設けた方が、操作性にもつながることで、利用者が直感的に判断できるという利点がある。
【００６５】
カバー３４３，３５３の形状は長板状に限らず、例えば正方形状に形成し、操作摘み３４１の向きにかかわらずスライドガイド溝２４１を被覆できるように構成してもよい。また、付勢手段はコイルバネ３３に限定されず、皿バネ等でもよく、スライダー３２をケース突出方向に付勢できるものであればよい。
その他、ケース３１やスライダー３２、操作摘み３４１，３４１Ａなどの具体的形状、材質も前記実施形態のものに限定されない。
【００６６】
本発明の上部ピポットヒンジ３０は、浴室ドア１のドア本体２０のように、開閉に伴って上下動するためにスライダー３２が下がった位置で固着されてしまう可能性がある建具に利用することが最も適しているが、例えば、居室の出入口に設けられるドアなどのドア本体が上下動しないような建具にも適用できる。すなわち、本発明は、浴室ドアに限らず、各居室のドア等の室内建具に適用することもできるし、サッシ窓、玄関ドア、勝手口ドア等の室外側に面した各種建具にも適用することができる。なお、室外側に面した建具においては、防水性や防犯性を向上するため、竪框２４の室外面にスライドガイド溝２４１が露出しないように構成すればよい。
要するに、本発明は、各種建具におけるピポットヒンジに広く適用できる。このような各種建具に適用すれば、スライダーを上下動させることで、ドア本体の取り付けや取り外し作業を容易に行えるとともに、操作摘み３４１，３４１Ａ等をスライダー３２の移動制限状態に操作しておけば、その状態を解除しない限り、ドア本体の取り外しを防止できる。
【００６７】
また、前記各実施形態では、ドア本体２０の竪框２４の上端に装着される上部ピポットヒンジ３０に本発明のドア用ヒンジを用いていたが、下部ピポットヒンジに本発明のドア用ヒンジを用いてもよいし、上部および下部の各ピポットヒンジに本発明のドア用ヒンジを用いてもよい。
【産業上の利用可能性】
【００６８】
本発明のドア用ヒンジは、浴室ドア等の建具においてドア本体を開閉可能に軸支するピポットヒンジとして利用できる。また、本発明の浴室ドアは、緊急時にドア本体を着脱できる浴室ドアに利用できる。
【図面の簡単な説明】
【００６９】
【図１】本発明の第１実施形態にかかる浴室ドアの脱衣室側を示す正面図。
【図２】前記実施形態にかかる浴室ドアの概略縦断面図。
【図３】前記実施形態にかかるドア本体のヒンジ側竪框上端を示す斜視図。
【図４】前記実施形態にかかるドア本体のヒンジ側竪框上端を示す断面図。
【図５】前記実施形態にかかる移動制限状態とされた上部ピポットヒンジを示す断面図であり、（Ａ）は上部ピポットヒンジのドア本体面内方向の断面図、（Ｂ）はドア本体面直交方向の断面図。
【図６】前記実施形態にかかる移動可能状態とされた上部ピポットヒンジを示す断面図であり、（Ａ）は上部ピポットヒンジのドア本体面内方向の断面図、（Ｂ）はドア本体面直交方向の断面図。
【図７】前記実施形態の移動制限状態とされた操作部材を示す平面図
【図８】前記実施形態の移動可能状態とされた操作部材を示す平面図。
【図９】第２実施形態にかかるドア本体のヒンジ側竪框上端を示す斜視図。
【図１０】（Ａ）は第２実施形態にかかる移動制限状態の上部ピポットヒンジを示す断面図であり、（Ｂ）は操作摘みおよび操作レバーを示す正面図。
【図１１】（Ａ）は第２実施形態にかかる移動制限状態の上部ピポットヒンジを示す断面図であり、（Ｂ）は操作摘みおよび操作レバーを示す正面図。
【図１２】（Ａ）は第２実施形態にかかる移動可能状態の上部ピポットヒンジを示す断面図であり、（Ｂ）は操作摘みおよび操作レバーを示す正面図。
【符号の説明】
【００７０】
１…浴室ドア、１０…ドア枠、１１…上枠、２０…ドア本体、２４…竪框、３０…上部ピポットヒンジ、３１…ケース、３２…スライダー、３３…コイルバネ、３４…操作部材、３５…操作固定部材、４０…上部受部材、４１…ピポット軸部、５０…下部ピポットヒンジ、６０…下部受部材、６１…軸部、６２…テーパ面、２４１…スライドガイド溝、３１１…高面部、３１２…低面部、３１３…開口、３２１…係止軸部、３２３…金属プレート、３２５…ガイド部、３２６…ガイド穴、３２９…係合孔、３４１，３４１Ａ…操作摘み、３４２…段部、３４３，３５３…カバー、３４５…操作軸部、３４６…突起、３４７…移動規制レバー、３４７Ａ…リブ部。
【図１】
2006214165.tif 000003
【図２】
2006214165.tif 000004
【図３】
2006214165.tif 000005
【図４】
2006214165.tif 000006
【図５】
2006214165.tif 000007
【図６】
2006214165.tif 000008
【図７】
2006214165.tif 000009
【図８】
2006214165.tif 000010
【図９】
2006214165.tif 000011
【図１０】
2006214165.tif 000012
【図１１】
2006214165.tif 000013
【図１２】
2006214165.tif 000014